(57)【要約】【課題】より正確にスケールによる給水路閉塞を検知できる衛生洗浄装置を提供することを目的とする。【解決手段】水を吐出する吐水部と、前記吐水部に前記水を供給する給水路と、前記給水路に流れる流量を検出する流量センサと、前記流量センサで検出した検出流量と、前記給水路のスケールによる閉塞を判定する判定基準と、を比較しスケールによる給水路閉塞を検知する制御部と、前記流量センサが検出した正常時の流量である標準流量を記憶する記憶装置と、を備え、前記制御部は、前記標準流量に基づいて前記判定基準を算出することを特徴とする衛生洗浄装置が提供される。【選択図】図４
2019163666.tif 000002
【特許請求の範囲】
【請求項１】
水を吐出する吐水部と、
前記吐水部に前記水を供給する給水路と、
前記給水路に流れる流量を検出する流量センサと、
前記流量センサで検出した検出流量と、前記給水路のスケールによる閉塞を判定する判定基準と、を比較しスケールによる給水路閉塞を検知する制御部と、
前記流量センサが検出した正常時の流量である標準流量を記憶する記憶装置と、
を備え、
前記制御部は、前記標準流量に基づいて前記判定基準を算出することを特徴とする衛生洗浄装置。
【請求項２】
給水路の水を吐水部に送給する洗浄ポンプと、をさらに備え、
前記記憶装置は、第１の基準と、前記第1の基準よりも高い第２の基準を記憶しており、
前記制御部は、
前記第１の基準、又は、前記第2の基準のいずれかと、前記標準流量と、に基づいて前記判定基準を算出し、
前記検出流量が前記第２の基準より算出された前記判定基準を満たす場合、前記洗浄ポンプの駆動を禁止することを特徴とする請求項１記載の衛生洗浄装置。
【請求項３】
前記記憶装置は、前記第１の基準以下の第３の基準を記憶しており、前記制御部は、
前記第３の基準と、前記標準流量と、に基づいて前記判定基準を算出し、
前記検出流量が、前記第１の基準により算出した前記判定基準を満たす状態から前記第３の基準により算出した前記判定基準を満たす状態になった際、その検出流量を前記記憶装置に記憶することを特徴とする請求項２記載の衛生洗浄装置。
【請求項４】
前記制御部は、前記記憶装置に前記標準流量が記憶されていない場合、
前記流量センサが検知した直後における検出流量を前記標準流量として記憶装置に記憶することを特徴とする請求項２乃至３記載の衛生洗浄装置。
【請求項５】
前記制御部は、前記標準流量を記憶した際の前記ポンプの動作出力と同一出力で前記ポンプが動作している際に、スケールによる給水路閉塞を検知することを特徴とする請求項２乃至４記載の衛生洗浄装置。
【請求項６】
前記洗浄ポンプの駆動が禁止された状態を解除する解除手段をさらに備えることを特徴とする請求項５記載の衛生洗浄装置。
【発明の詳細な説明】
【技術分野】
【０００１】
本発明は、人体局部に向け洗浄水を吐水する衛生洗浄装置に関するものである。
【背景技術】
【０００２】
衛生洗浄装置においては、給水源からノズル等の吐水口までの給水路においてスケールが析出することがある。例えば、硬度の高い水が使用される地域では、スケールが析出し易い。給水路にスケールが析出すると、給水路が閉塞し、吐水口からの吐水が出来なくなる恐れがある。
これを防ぐため、使用者によって給水路に投入された除去剤（除去液）によって、析出したスケールを溶解させ、スケールを除去する方法が知られている。（例えば特許文献１参照）
【０００３】
また、給水源からノズル等の吐水口までの給水路における異常を検知する方法として、洗浄動作時の流量に基づいて、給水ポンプ、温水タンク、弁等の給水路構成部材の異常を検知し、使用者に報知する衛生洗浄装置が知られている。（例えば特許文献２参照）
この特許文献２では、給水路に配置された流量センサにより検出された流量と、制御部に予め記憶された流量とを比較することで、給水路構成部材の異常を検知している。
【０００４】
特許文献１と特許文献２を組み合わせ、スケールによる給水路閉塞を検知しスケールを除去するタイミングを使用者に知らせることで、スケールで完全に給水路が閉塞する前に除去剤によってスケールを除去できる。
【先行技術文献】
【特許文献】
【０００５】
【特許文献１】特開平７−３２４５６５号公報
【特許文献２】特開２０１１−２２００６１号公報
【発明の概要】
【発明が解決しようとする課題】
【０００６】
しかし、給水路を流れる流量は、給水路構成部材の経年劣化等の要因によって低下する。つまり、給水路を流れる流量は、製品の使用状態により変わり、製品ごとにばらつきがある。そのため、特許文献２の異常検知方法でスケールによる給水路閉塞を検知した場合、正確にスケールによる給水路閉塞を検知し、スケール除去のタイミングを報知できない恐れがある。
【０００７】
本発明は、かかる課題の認識に基づいてなされたものであり、より正確にスケールによる給水路閉塞を検知できる衛生洗浄装置を提供することを目的とする。
【課題を解決するための手段】
【０００８】
第１の発明は、水を吐出する吐水部と、前記吐水部に前記水を供給する給水路と、前記給水路に流れる流量を検出する流量センサと、前記流量センサで検出した検出流量と、前記給水路のスケールによる閉塞を判定する判定基準と、を比較しスケールによる給水路閉塞を検知する制御部と、前記流量センサが検出した正常時の流量である標準流量を記憶する記憶装置と、を備え、前記制御部は、前記標準流量に基づいて前記判定基準を算出することを特徴とする衛生洗浄装置である。
【０００９】
この衛生洗浄装置によれば、製品ごとの給水流路の劣化具合を考慮し、スケールによる給水流路閉塞を検知できる。そのため、その検知結果に基づいて、適切なタイミングで給水路のスケール除去のタイミングを使用者に報知し、スケール除去作業を行ってもらうことができる。
【００１０】
第２の発明は第１の発明において、給水路の水を吐水部に送給する洗浄ポンプと、をさらに備え、前記記憶装置は、第１の基準と、前記第1の基準よりも高い第2の基準を記憶しており、前記制御部は、前記第１の基準、又は、前記第２の基準のいずれかと、前記標準流量と、に基づいて前記判定基準を算出し、前記検出流量が前記第２の基準より算出された前記判定基準を満たす場合、前記洗浄ポンプの駆動を禁止することを特徴とする衛生洗浄装置である。
【００１１】
この衛生洗浄装置によれば、第１の基準により、スケールによる給水路の閉塞開始を検知し、第２の基準により、スケールによって給水路が完全に閉塞する前にポンプの動作を止めることで、スケールによる給水路閉塞を検知後に、給水路内に流れた水によりさらにスケールが堆積することを抑制できる。そして、給水路がスケールで完全に閉塞し、除去剤によるスケール除去作業が行えなくなることを抑制することができる。
【００１２】
第３の発明は第２の発明において、前記記憶装置は、前記第１の基準以下の第３の基準を記憶しており、前記制御部は、前記第３の基準と、前記標準流量と、に基づいて前記判定基準を算出し、前記検出流量が、前記第１の基準により算出した前記判定基準を満たす状態から前記第３の基準により算出した前記判定基準を満たす状態になった際、その検出流量を前記記憶装置に記憶することを特徴とする請求項２記載の衛生洗浄装置。
【００１３】
この衛生洗浄装置によれば、スケールによる給水流路閉塞から回復した直後の流量が標準流量となるため、より正確にスケールによる給水路の閉塞を検知できる。
【００１４】
第４の発明は第２乃至第３の発明において、前記制御部は、前記記憶装置に前記標準流量が記憶されていない場合、前記流量センサが検知した直後における検出流量を前記標準流量として記憶装置に記憶することを特徴とする衛生洗浄装置である。
【００１５】
この衛生洗浄装置において、初期設定時等において、製品ごとの正常な流量を第１の基準として記憶できるため、より正確にスケールによる給水路の閉塞を検知できる。
【００１６】
第５の発明は第１〜４の発明において、前記制御部は、前記標準流量を記憶した際の前記ポンプの動作出力と同一出力で前記ポンプが動作している際に、スケールによる給水路閉塞を検知することを特徴とする衛生洗浄装置である。
【００１７】
この衛生洗浄装置において、ポンプの動作条件が同じ状態において、標準流量と検出流量を比較でき、より正確にスケールによる給水路閉塞を検知することができる。
【００１８】
第６の発明は第５の発明において、前記洗浄ポンプの駆動が禁止された状態を解除する解除手段をさらに備えることを特徴とする衛生洗浄装置である。
【００１９】
この衛生洗浄装置において、ポンプの駆動された状態を使用者の意図で解除できるため、ポンプを使い容易に給水路のスケールを除去できる。
【発明の効果】
【００２０】
本発明の態様によれば、より正確にスケールによる給水路閉塞を検知できる衛生洗浄装置を提供する。
【図面の簡単な説明】
【００２１】
【図１】実施形態に係る衛生洗浄装置を備えたトイレ装置を表す斜視図である。
【図２】実施形態に係る衛生洗浄装置の要部構成の例示するブロック図である。
【図３】実施形態に係る衛生洗浄装置のケーシングを例示する平面図である。
【図４】実施形態に係る衛生洗浄装置のスケール堆積の検出を例示するフローチャートである。
【発明を実施するための形態】
【００２２】
以下、本発明の実施の形態について説明する。
なお、各図面中、同様の構成要素には同一の符号を付して詳細な説明は適宜省略する。
図１は、実施形態に係る衛生洗浄装置を備えたトイレ装置を表す斜視図である。
図１に表したように、トイレ装置は様式腰掛便器（以下説明の便宜上、単に「便器」と称する）８００と、その上に設けられた衛生洗浄装置１００と、を備える。便器８００は、トイレ室の床面に設置される「床置き式」でもよいし、トイレ室の壁面やライニングに設置される「壁掛け式」であってもよい。衛生洗浄装置１００は、ケーシング４００と、便座２００と、便蓋３００と、を有する。便座２００と便蓋３００はケーシング４００に対して開閉自在にそれぞれ軸支されている。
【００２３】
ケーシング４００の内部には、便座２００に座った使用者の「おしり」などの洗浄を実現する身体洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えばリモコンなどの操作部５００（図２参照）を操作すると、洗浄ノズル（以下説明の便宜上、単に「ノズル」と称する）４７３を便器８００のボウル８０１内に進出させることができる。なお、図１に表した衛生洗浄装置１００では、ノズル４７３がボウル８０１内に進出した状態を表している。
【００２４】
ノズル４７３は、人体局部に向けて水を吐出し、人体局部の洗浄を行う。ノズル４７３の先端部には、複数の吐水口３１（ビデ洗浄吐水口３１ａ、おしり洗浄吐水口３１ｂなど）が設けられている。ノズル４７３は、その先端に設けられたビデ洗浄吐水口３１ａから水を噴射して、便座２００に座った女性の女性局部を洗浄することができる。あるいは、ノズル４７３は、その先端に設けられたおしり洗浄吐水口３１ｂから水を噴射して、便座２００に座った使用者の「おしり」を洗浄することができる。
【００２５】
なお、本願明細書において「水」という場合には、冷水のみならず、加熱されたお湯も含むものとする。また、本願明細書において、「前方」、「後方」、「上方」、「下方」は、開いた便蓋３００に背を向けて便座２００に座った使用者から見た方向をいうものとする。
【００２６】
図２は、実施形態に係る衛生洗浄装置の要部構成を例示するブロック図である。  
図２では、水路系と電気系の要部構成を併せて表している。  
図３は、実施形態に係る衛生洗浄装置のケーシングを例示する平面図である。  
図３では、ケーシング４００及びその内部を模式的に表している。  
衛生洗浄装置１００は、水を吐出する吐水部４７０を有する。吐水部４７３は、ノズル４７３（洗浄ノズル）、ノズル洗浄室４７８及び噴霧ノズル４７９を有する。吐水部４７０は、ケーシング４００に配置（又は収納）されている。
【００２７】
衛生洗浄装置１００は、ケーシング４００内に配置された給水路２０を有する。給水路２０は、水道や貯水タンクなどの給水源１０から供給された水を吐水部４７０へ供給する。つまり、給水路２０は、吐水部４７０から吐出される水を、吐水部４７０へ導く。  
給水路２０には、以下に説明する電磁弁４３１、調圧弁４３２、逆止弁４３３、開放式タンク４３４、洗浄用ポンプ４３６、熱交換器ユニット４４０、流量センサ４４２、電解槽ユニット４５０、バキュームブレーカ４５２、流路切替部４７２などの各部と、これら各部を接続する複数の配管と、が設けられている。
【００２８】
給水路２０の上流側には、電磁弁４３１が設けられている。電磁弁４３１は、開閉可能な電磁バルブであり、ケーシング４００の内部に設けられた制御部４０５からの指令に基づいて水の供給を制御する。換言すれば、電磁弁４３１は、給水路２０を開閉する。電磁弁４３１を開状態にすることにより、給水源１０から供給された水が、下流側へ流れる。
【００２９】
電磁弁４３１の下流には、調圧弁４３２が設けられている。調圧弁４３２は、給水圧が高い場合に、給水路２０内の圧力を所定の圧力範囲に調整する。調圧弁４３２の下流には、逆止弁４３３が設けられている。逆止弁４３３は、給水路２０内の圧力が低下した場合などに、逆止弁４３３よりも上流側への水の逆流を抑制する。
【００３０】
逆止弁４３３の下流には、開放式タンク４３４が設けられている。開放式タンク４３４は、給水路２０の経路上に設けられ、逆止弁４３３を介して流入した水を内部に貯留する。また、開放式タンク４３４は、内部にエアギャップを形成することにより、給水路２０において、開放式タンク４３４よりも下流側から上流側に向かう水の流れを物理的に遮断する。換言すれば、開放式タンク４３４は、給水路２０の開放式タンク４３４よりも下流側の部分と上流側の部分とを縁切りする。これにより、開放式タンク４３４は、ノズル４７３内の洗浄水やボウル８０１内に溜まった汚水などが、給水源１０（上水）側に逆流してしまうことを確実に抑制する。
【００３１】
開放式タンク４３４の下流には、洗浄用ポンプ４３６が設けられている。洗浄用ポンプ４３６は、開放式タンク４３４に貯留された水を流出させる。洗浄用ポンプ４３６は、開放式タンク４３４に貯留された水を汲み出す。これにより、洗浄用ポンプ４３６は、開放式タンク４３４に貯留された水を、開放式タンク４３４よりも下流の給水路２０に供給する。洗浄用ポンプ４３６は、制御部４０５に接続されている。洗浄用ポンプ４３６の駆動及び駆動の停止は、制御部４０５によって制御される。洗浄用ポンプ４３６は、開放式タンク４３４に貯留された水を流出させることが可能な任意のポンプでよい。
【００３２】
洗浄用ポンプ４３６の下流には、熱交換器ユニット４４０（加熱部）が設けられている。熱交換器ユニット４４０は、ヒータを有し、洗浄用ポンプ４３６を介して開放式タンク４３４から供給された水を加熱して例えば規定の温度まで昇温する。すなわち、熱交換器ユニット４４０は、温水を生成する。
【００３３】
熱交換器ユニット４４０は、例えばセラミックヒータなどを用いた瞬間加熱式（瞬間式）の熱交換器であり、貯湯タンクを用いた貯湯加熱式熱交換器と比較すると、短い時間で水を規定の温度まで昇温させることができる。なお、熱交換器ユニット４４０は、瞬間加熱式の熱交換器には限定されず、貯湯加熱式の熱交換器であってもよい。また、加熱部は、熱交換器に限ることなく、例えば、マイクロ波加熱を利用するものなど、他の加熱方式を用いたものでもよい。
【００３４】
熱交換器ユニット４４０は、制御部４０５と接続されている。制御部４０５は、例えば、使用者による操作部５００の操作に応じて熱交換器ユニット４４０を制御することにより、操作部５００で設定された温度に水を昇温する。
【００３５】
熱交換器ユニット４４０の下流には、流量センサ４４２が設けられている。流量センサ４４２は、給水路２０を流れる水の流量を検知する。流量センサ４４２は、制御部４０５に接続されている。流量センサ４４２は、流量の検知結果を制御部４０５に入力する。
【００３６】
流量センサ４４２の下流には、電解槽ユニット４５０が設けられている。電解槽ユニット４５０は、内部を流れる水道水を電気分解することにより、水道水から次亜塩素酸を含む液（機能水）を生成する。電解槽ユニット４５０は、制御部４０５に接続されている。電解槽ユニット４５０は、制御部４０５による制御に基づいて、機能水の生成を行う。
【００３７】
電解槽ユニット４５０において生成される機能水は、例えば、銀イオンや銅イオンなどの金属イオンを含む溶液であってもよい。あるいは、電解槽ユニット４５０において生成される機能水は、電解塩素やオゾンなどを含む溶液であってもよい。あるいは、電解槽ユニット４５０において生成される機能水は、酸性水やアルカリ水であってもよい。
【００３８】
電解槽ユニット４５０の下流には、バキュームブレーカ（ＶＢ）４５２が設けられている。バキュームブレーカ４５２は、例えば、水を流すための流路と、流路内に空気を取り込むための吸気口と、吸気口を開閉する弁機構と、を有する。弁機構は、例えば、流路に水が流れている時に吸気口を塞ぎ、水の流れの停止とともに吸気口を開放して流路内に空気を取り込む。すなわち、バキュームブレーカ４５２は、給水路２０に水の流れが無い時に、給水路２０内に空気を取り込む。弁機構には、例えば、フロート弁が用いられる。
【００３９】
バキュームブレーカ４５２は、上記のように給水路２０内に空気を取り込むことにより、例えば、給水路２０のバキュームブレーカ４５２よりも下流の部分の水抜きを促進させる。バキュームブレーカ４５２は、例えば、ノズル４７３の水抜きを促進する。このように、バキュームブレーカ４５２は、ノズル４７３内の水を抜いてノズル４７３内に空気を取り込むことにより、例えば、ノズル４７３内の洗浄水やボウル８０１内に溜まった汚水などが、給水源１０（上水）側に逆流してしまうことを抑制する。
【００４０】
バキュームブレーカ４５２の下流には流路切替部４７２が設けられている。流路切替部４７２は、ノズル４７３やノズル洗浄室４７８への給水の開閉や切替を行う。この例では、流路切替部４７２は、流量の調整を行う流量調整部としても機能する。ただし、流量調整部及び流路切替部は、別々のユニットであってもよい。流路切替部４７２は、制御部４０５に接続され、制御部４０５によって制御される。
【００４１】
流路切替部４７２の下流には、吐水部４７０（ノズル４７３、ノズル洗浄室４７８、及び噴霧ノズル４７９）が設けられている。ノズル４７３は、ノズルモータ４７６からの駆動力を受け、便器８００のボウル８０１内に進出したり後退したりする。つまり、ノズルモータ４７６は、制御部４０５からの指令に基づいてノズル４７３を進退させる。
【００４２】
ノズル４７３は、図３に実線で表したように、非使用時には、ケーシング４００内に収納されている。ノズル４７３は、図３に破線で表したように、ケーシング４００から前方かつ下方へ進出た状態で、吐水口３１から水を吐出して、人体局部を洗浄する。
【００４３】
ノズル洗浄室４７８は、その内部に設けられた吐水口３２から機能水あるいは水を噴射することにより、ノズル４７３の外周表面（胴体）を洗浄する。噴霧ノズル４７９は、その先端に設けられた吐水口３３から洗浄水や機能水をミスト状にしてボウル８０１に噴霧する。この例では、人体を洗浄するためのノズル４７３とは別に噴霧ノズル４７９を設けている。これに限ることなく、ミスト状の液体をボウル８０１に噴霧するための吐水口をノズル４７３に設けてもよい。
【００４４】
また、流路切替部４７２の下流には、おしり洗浄流路２１と、やわらか洗浄流路２２と、ビデ洗浄流路２３と、が設けられている。おしり洗浄流路２１及びやわらか洗浄流路２２は、給水路２０を介して給水源１０から供給された水や電解槽ユニット４５０において生成された機能水をおしり洗浄吐水口３１ｂへ導く。ビデ洗浄流路２３は、給水路２０を介して給水源１０から供給された水や電解槽ユニット４５０において生成された機能水をビデ洗浄吐水口３１ａへ導く。
【００４５】
また、流路切替部４７２の下流には、バイパス流路２４と、噴霧用流路２５と、が設けられている。バイパス流路２４は、給水路２０を介して給水源１０から供給された水や電解槽ユニット４５０において生成された機能水をノズル洗浄室４７８の吐水口３２へ導く。噴霧用流路２５は、給水路２０を介して給水源１０から供給される水や電解槽ユニット４５０において生成された機能水を噴霧ノズル４７９の吐水口３３に導く。
【００４６】
制御部４０５は、流路切替部４７２を制御することにより、おしり洗浄流路２１、やわらか洗浄流路２２、ビデ洗浄流路２３、バイパス流路２４、及び噴霧用流路２５の各流路の開閉を切り替える。
【００４７】
また、衛生洗浄装置１００は、人体検知手段４０６を有する。人体検知手段４０６は、衛生洗浄装置１００が設けられたトイレ室内の人体を検知する。制御部４０５は、人体検知手段４０６の検知結果を取得する。なお、本願明細書において、人体検知手段４０６による「トイレ室内の人体の検知」とは、トイレ室内の使用者の存在の検知だけでなく、トイレ室内の使用者の動作の検知を含む。例えば、「トイレ室内の人体の検知」という範囲には、使用者のトイレ室への入室及び退室、使用者の便器８００への接近及び離反、便座２００の開閉、及び、便蓋３００の開閉の検知も含まれる。
【００４８】
人体検知手段４０６として、入室検知センサ４０３、着座検知センサ４０４、及び開閉検知センサ４０２が設けられている。  
入室検知センサ４０３には、例えば、焦電センサ、マイクロ波センサ、超音波センサ、または測距センサ（赤外線投光式センサ）を用いることができる。この例では、入室検知センサ４０３には、ケーシング４００に設けられた焦電センサが用いられている。入室検知センサ４０３は、例えば、使用者がトイレ室のドアを開けて入室したことを直ちに検知可能である。これにより、トイレ室内への使用者の入室の有無を検知することができる。
【００４９】
着座検知センサ４０４は、使用者の便座２００への着座の有無を検知することができる。着座検知センサ４０４は、使用者の着座及び離座を検知する。着座検知センサ４０４には、マイクロ波センサ、測距センサ（赤外線投光式センサ）、超音波センサ、タクトスイッチ、静電容量スイッチ（タッチセンサ）、または歪みセンサを用いることができる。この例では、着座検知センサ４０４には、ケーシング４００に設けられた測距センサが用いられている。
【００５０】
なお、タクトスイッチ、静電センサ及び歪みセンサなどの接触式センサを用いる場合には、これらの接触式センサは、便座２００に設けられる。便座２００に使用者が座ると、使用者の体重によってタクトスイッチが押下される。または、使用者が静電センサに接触する。または、使用者の体重によって歪みセンサに圧力が加えられる。これらのセンサからの電気信号により、使用者の着座を検知することができる。
【００５１】
開閉検知センサ４０２は、例えばマイクロスイッチであり、便座２００又は便蓋３００の開閉状態を検知する。この例では、開閉検知センサ４０２は、便座２００の開閉状態を検知する。例えば、便座２００が便器８００から一定角度以上開くと、開閉検知センサ４０２が便座２００の開状態を検知する。
【００５２】
制御部４０５は、マイコンや不揮発性記憶装置５０３などの制御回路を含む。制御部４０５は、電源回路４０１から電力を供給され、人体検知手段４０６や、開放式タンク４３４や、流量センサ４４２や、操作部５００などからの信号に基づいて、電磁弁４３１や、洗浄用ポンプ４３６や、熱交換器ユニット４４０や、電解槽ユニット４５０や、流路切替部４７２や、ノズルモータ４７６などの動作を制御する。
【００５３】
また、衛生洗浄装置１００には、便器洗浄バルブユニット５１０が設けられてもよい。便器洗浄バルブユニット５１０は、便器８００に流す洗浄水の供給を制御する役割を有する。便器洗浄バルブユニット５１０の動作は、例えば、制御部４０５に制御される。使用者は、操作部５００を操作して、制御部４０５に信号を送ることで、便器洗浄を行うことができる。
【００５４】
衛生洗浄装置１００には、便蓋開閉ユニット５１１及び便座開閉ユニット５１２が設けられてもよい。便蓋開閉ユニット５１１は、モータ等を有し、便蓋３００と接続されている。便座開閉ユニット５１２は、モータ等を有し、便座２００と接続されている。便蓋開閉ユニット５１１及び便座開閉ユニット５１２の動作は、制御部４０５に制御される。使用者は、操作部５００を操作して、制御部４０５に信号を送ることで、便座２００及び便蓋３００のそれぞれを電動で開閉することができる。
【００５５】
また、ケーシング４００には、便座２００に座った使用者の「おしり」などに向けて温風を吹き付けて乾燥させる「温風乾燥機能」や「脱臭機能」や「室内暖房機能」などが適宜設けられていてもよい。この際、ケーシング４００の側面には、脱臭ユニットからの排気口及び室内暖房ユニットからの排出口が適宜設けられる。ただし、これらの付加機能部は必ずしも設けられなくてもよい。
【００５６】
図４は、実施形態に係る衛生洗浄装置のスケール閉塞検出を例示するフローチャートである。
図４に表したように制御部４０５に搭載された不揮発性記憶装置５０３に標準流量Ｑ６０１が記憶されている（ステップＳ２０２：Ｙｅｓ）状態で、制御部４０５が洗浄用ポンプ４３６を駆動開始（ステップＳ２０３：Ｙｅｓ）すると流量センサ４４２にて現在の流量Ｑ６０２の検出（ステップＳ２０４）を行う。検出した現在の流量Ｑ２と標準流量Ｑ６０１に第１の基準Ｎ６５１（例えば５０％）を掛けた値（第１の判定基準）と、を制御部４０５にて比較し、現在の流量Ｑ６０２が標準流量Ｑ６０１に第１の基準Ｎ６５１（例えば５０％）を掛けた値より下回った（ステップＳ２０５：Ｙｅｓ）場合、報知手段５０１にて報知（ステップＳ２０６）を行い、使用者にスケール除去作業の実施を促すことが出来る。
【００５７】
また、報知手段５０１にて報知を行っている状態で、制御部４０５が洗浄用ポンプ４３６を駆動開始（ステップＳ２０７）すると、流量センサ４４２にて報知中の現在の流量Ｑ６０３の検出（ステップＳ２０８）を行う。検出した報知中の現在の流量Ｑ６０３と、標準流量Ｑ６０１に第２の基準Ｎ６５２（例えば２０％）を掛けた値（第2の判定基準）と、を制御部４０５にて比較し、報知中の現在の流量Ｑ６０３が標準流量Ｑ６０１に第２の基準Ｎ６５２（例えば２０％）を掛けた値より下回った（ステップＳ２０９：Ｙｅｓ）場合、洗浄用ポンプ４３６の駆動を禁止（ステップＳ２１１）することで、ケーシング４００内へのスケールのさらなる堆積を防止し、完全に閉塞する前に使用者がスケール除去作業を実施することが出来る。
【００５８】
また、ステップＳ２０７にて検出された報知中の現在の流量Ｑ６０３が標準流量Ｑ６０１に第３の基準Ｎ６５３（例えば９０％）を掛けた値（第３の判定基準）より上回った（ステップＳ２１０：Ｙｅｓ）場合、報知手段５０１による報知を解除（ステップＳ２１２）することで、使用者にはスケールが除去され、普通に使用可能となったことをお知らせすることが出来る。さらに、検出された報知中の現在の流量Ｑ６０３を新たな標準流量Ｑ６０１として、制御部４０５に搭載された不揮発性記憶装置５０３に上書きをすることで、経年劣化などによる設置場所の環境の変化に対しても正しく閉塞を検出することが可能となる。なお、本実施形態において、判定基準とは、標準流量Q１に第１の基準N６５１、第２の基準N６５２、第３の基準N６５３のいずれかを掛け合わせた値である第１の判定基準、第２の判定基準、第３の判定基準のことである。
【００５９】
また、制御部４０５に搭載された不揮発性記憶装置５０３に標準流量Ｑ６０１が記憶されていない（ステップＳ２０２：Ｎｏ）状態で洗浄用ポンプ４３６を駆動開始（ステップＳ２１３：Ｙｅｓ）した場合は、流量センサ４４２にて標準流量Ｑ６０１の検出（ステップＳ２１４）を実施する。検出された標準流量Ｑ６０１は制御部に搭載された不揮発性記憶装置５０３に記憶され、設置された環境における適正な流量として以降の比較が可能となる。
【００６０】
また、標準流量Ｑ６０１または現在の流量Ｑ６０２または報知中の現在の流量Ｑ６０３は洗浄用ポンプ４３６が同じ駆動出力となる動作（例えば温水準備）の時に、流量センサ４４２にて検出を実施する事で、制御部４０５による比較を容易にすることが可能となる。
【００６１】
また、洗浄用ポンプ４３６の駆動が禁止されている（ステップＳ２１１）状態で、使用者が操作部５００にて解除手段５０２を実施した（ステップＳ２１６  ：Ｙｅｓ）場合、洗浄用ポンプ４３６の駆動禁止が解除（ステップＳ２１７）され、使用者はスケールの除去作業を実施する事が可能となる。
【００６２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６３】
１０  給水源、  ２０  給水路、  ２１  おしり洗浄流路、  ２２  やわらか洗浄流路、  ２３  ビデ洗浄流路、  ２４  バイパス流路、  ２５  噴霧用流路、  ３１  吐水口、  ３１ａ  ビデ洗浄吐水口、  ３１ｂ  洗浄吐水口、  ３２  吐水口、  ３３  吐水口、  ４１  第１流路、  ４２  第２流路、  ５４  電磁ポンプ、  ８０  固定ディスク、  ８０ａ  前面、  ８０ｂ  背面、  ８２  可動ディスク、  ８４  ハウジング、  ８６  駆動機構、  １００  衛生洗浄装置、  ２００  便座、  ３００  便蓋、  ４００  ケーシング、  ４０１  電源回路、  ４０２  開閉検知センサ、  ４０３  入室検知センサ、  ４０４  着座検知センサ、  ４０５  制御部、  ４０６  人体検知手段、  ４０７  開口部、  ４０８  シャッター、  ４０８ｆ  前端、  ４３１  電磁弁、  ４３２  調圧弁、  ４３３  逆止弁、  ４３４  開放式タンク、  ４３４ａ  除去剤投入部、  ４３６  洗浄用ポンプ、  ４４０  熱交換器ユニット、  ４４２  流量センサ、  ４５０  電解槽ユニット、  ４５２  バキュームブレーカ、  ４７０  吐水部、  ４７２  流路切替部、  ４７３  ノズル、  ４７３ｆ  先端、  ４７６  ノズルモータ、  ４７８  ノズル洗浄室、  ４７９  噴霧ノズル、  ５００  操作部、  ５０１  報知手段、５０２  解除手段、５０３  不揮発性記憶装置、５１０  便器洗浄バルブユニット、  ５１１  便蓋開閉ユニット、  ５１２  便座開閉ユニット、  ７０１  流入口、  ７０２  流出口、  ７０３  排出口、  ７０６  サブタンク、  ７０７  水位センサ、  ７１０  入口配管、  ７１２  出口配管、  ８００  便器、  ８０１  ボウル、  ＣＮ１  第１制御、  ＣＮ２  第２制御、  Ｈ０  水位、  Ｈ１  渇水水位、  Ｈ２  満水水位、  Ｈ３  上限水位、  Ｐ１  ミストポート、  Ｐ２  ビデポート、  Ｐ３  第１のバイパスポート、  Ｐ４  セルフクリーニングポート、  Ｐ５  洗浄ポート、  Ｐ６  第２のバイパスポート、  Ｐ７  洗浄ポート、  ＲＡ  回転軸、  ａ１〜ａ３  第１〜第３充填動作、  ｂ１〜ｂ３  第１〜第３待機動作、  ｃ１  排出動作
【図１】
2019163666.tif 000003
【図２】
2019163666.tif 000004
【図３】
2019163666.tif 000005
【図４】
2019163666.tif 000006